(57)【要約】【課題】設計の自由度を確保しつつ、容易に製造できかつコストの上昇を抑えることができる電子カメラを提供すること。【解決手段】電子カメラ１のカメラボディ２は、光軸Ａｘに沿って順に配置されたマウント部３と、ミラーボックス４と、シャッターユニット５と、ＣＣＤパッケージ６とを備え、さらに、撮影レンズ７とメインミラー９との間の空間に配置された複屈折板１６と、メインミラー９とシャッターユニット５との間の空間に配置された位相板１７と、シャッターユニット５とＣＣＤパッケージ６との間の空間に配置された複屈折板１８および赤外カットフィルタ１９とを備える。【選択図】図２
2006140706.tif 000002
【特許請求の範囲】
【請求項１】
光軸に沿って順に配置された撮影レンズ、回動可能に設置されたミラー、シャッターユニットおよび電子画像を撮像する撮像ユニットを備えるとともに、光学特性が異なる少なくとも２つの層により構成される光学フィルタを備える電子カメラであって、
前記各層は、前記撮影レンズと前記ミラーとの間の空間、前記ミラーと前記シャッターユニットとの間の空間、前記シャッターユニットと前記撮像ユニットとの間の空間のうち少なくとも２つの空間に分離して配置されることを特徴とする電子カメラ。
【請求項２】
前記各層のうちの少なくとも１つの層は、前記シャッターユニットと前記撮像ユニットとの間の空間に配置される請求項１に記載の電子カメラ。
【請求項３】
前記各層は、それぞれ、当該電子カメラに対して着脱可能である請求項１または２に記載の電子カメラ。
【請求項４】
前記光学フィルタは、光学ローパスフィルタである請求項１ないし３のいずれかに記載の電子カメラ。
【請求項５】
前記光学フィルタは、複屈折層、位相層および赤外カットフィルタのうちの少なくとも１つを含むものである請求項１ないし４のいずれかに記載の電子カメラ。
【請求項６】
前記位相層は、前記ミラーと前記シャッターユニットとの間の空間または前記シャッターユニットと前記撮像ユニットとの間の空間に配置される請求項５に記載の電子カメラ。
【請求項７】
前記複屈折層および位相層は、それぞれ、水晶で構成されている請求項５または６に記載の電子カメラ。
【請求項８】
前記光学フィルタは、正方分離型のフィルタである請求項１ないし７のいずれかに記載の電子カメラ。
【請求項９】
前記ミラーを収容する鏡箱をさらに備え、
前記撮影レンズと前記ミラーとの間の空間と、前記ミラーと前記シャッターユニットとの間の空間とは、前記鏡箱内に設けられる請求項１ないし８のいずれかに記載の電子カメラ。
【請求項１０】
前記撮影レンズと前記ミラーとの間の空間に配置される層と、前記ミラーと前記シャッターユニットとの間の空間に配置される層とは、それぞれ、枠体を介して前記鏡箱に固定される請求項９に記載の電子カメラ。
【請求項１１】
前記枠体と前記鏡箱との間に防塵部材が設けられる請求項１０に記載の電子カメラ。
【請求項１２】
前記各層は、それぞれ、１つの光学特性を発揮する光学特性板で構成されている請求項１ないし１１のいずれかに記載の電子カメラ。
【発明の詳細な説明】
【技術分野】
【０００１】
本発明は、電子カメラに関する。
【背景技術】
【０００２】
従来、ＣＣＤ等によって被写体の画像データを取得する電子カメラでは、被写体の画像データに偽色（モアレ）が生じるのを防止するため、図５に示すように、撮像ユニット５０の前面に、ＣＣＤカバーガラス５１を介して光学ローパスフィルタ５２が配置される。この光学ローパスフィルタ５２は、ＣＣＤ結像面５３におけるＣＣＤの画素間隔で決まる標本化空間周波数に近い空間周波数成分を低減させるため、撮像ユニット５０側から順に配設された赤外線吸収ガラス、複屈折板、位相板および複屈折板、すなわち４層の積層体で構成されている。
【０００３】
撮影レンズと撮像ユニット５０との間に回動可能なメインミラーを有する一眼レフタイプの電子カメラでは、シャッターユニットをメインミラーと撮像ユニット５０との間に配置する必要があり、これにより、光学ローパスフィルタ５２はシャッターユニットと撮像ユニット５０との間に配置される。
【０００４】
ところが、シャッターユニットと撮像ユニット５０との間の空間の大きさは限られているため、例えば、積層厚さが３．１〜３．３ｍｍ程度に達するような正方分離型の光学ローパスフィルタ５２を当該空間に配置することは容易でなく、設計の自由度が低いという問題があった。そこで、近年、ＣＣＤカバーガラス５１を廃止して撮像ユニット５０の前面に複屈折板を直接貼り付けることにより、ローパスフィルタの積層数を減じてその厚さを小さくすることが行われていたり（例えば、特許文献１参照）、または、複屈折板の材料として水晶の代わりにニオブ酸リチウムを用いることによって複屈折板の厚さを小さくしたりすることが行われている。
【０００５】
しかしながら、撮像ユニット５０の前面に複屈折板を直接貼り付ける場合では、複屈折板が撮像ユニット５０と一体化して取り扱われるため、電子カメラの生産工程において当該複屈折板に傷などが付きやすく、製造が困難であるという問題がある。
【０００６】
また、光学ローパスフィルタ５２は、貼り付けや、コートの関係で、単純な一枚ガラスより表面欠陥レベルが低い。
【０００７】
また、複屈折板の材料として水晶の代わりにニオブ酸リチウムを用いる場合では、ニオブ酸リチウムが非常に高価であるため、製造コストが上昇するという問題がある。
【０００８】
【特許文献１】特開２０００−１１４５０２号公報
【発明の開示】
【発明が解決しようとする課題】
【０００９】
本発明の目的は、設計の自由度を確保しつつ、容易に製造できかつコストの上昇を抑えることができる電子カメラを提供することにある。
【課題を解決するための手段】
【００１０】
このような目的は、下記（１）〜（１２）の本発明により達成される。
（１）  光軸に沿って順に配置された撮影レンズ、回動可能に設置されたミラー、シャッターユニットおよび電子画像を撮像する撮像ユニットを備えるとともに、光学特性が異なる少なくとも２つの層により構成される光学フィルタを備える電子カメラであって、
前記各層は、前記撮影レンズと前記ミラーとの間の空間、前記ミラーと前記シャッターユニットとの間の空間、前記シャッターユニットと前記撮像ユニットとの間の空間のうち少なくとも２つの空間に分離して配置されることを特徴とする電子カメラ。
【００１１】
これにより、シャッターユニットと撮像ユニットとの間の空間の大きさが限られていても、積層厚さが大きい光学フィルタを電子カメラ内に収容することができ、電子カメラの設計の自由度を確保しつつ、電子カメラを容易に製造でき、電子カメラのコストの上昇を抑えることができる。
【００１２】
（２）  前記各層のうちの少なくとも１つの層は、前記シャッターユニットと前記撮像ユニットとの間の空間に配置される上記（１）に記載の電子カメラ。
【００１３】
（３）  前記各層は、それぞれ、当該電子カメラに対して着脱可能である上記（１）または（２）に記載の電子カメラ。
これにより、電子カメラの清掃作業（メンテナンス）を容易に行うことができる。
【００１４】
（４）  前記光学フィルタは、光学ローパスフィルタである上記（１）ないし（３）のいずれかに記載の電子カメラ。
これにより、画像を劣化させる高周波成分を確実に光学的に抑制することができる。
【００１５】
（５）  前記光学フィルタは、複屈折層、位相層および赤外カットフィルタのうちの少なくとも１つを含むものである上記（１）ないし（４）のいずれかに記載の電子カメラ。
これにより、ローパスフィルタ特性を確実に得ることができる。
【００１６】
（６）  前記位相層は、前記ミラーと前記シャッターユニットとの間の空間または前記シャッターユニットと前記撮像ユニットとの間の空間に配置される上記（５）に記載の電子カメラ。
これにより、電子カメラの設計の自由度をより容易に向上させることができる。
【００１７】
（７）  前記複屈折層および位相層は、それぞれ、水晶で構成されている上記（５）または（６）に記載の電子カメラ。
これにより、電子カメラのコストの上昇をより確実に抑えることができる。
【００１８】
（８）  前記光学フィルタは、正方分離型のフィルタである上記（１）ないし（７）のいずれかに記載の電子カメラ。
これにより、モアレを生じさせることなく高画質の画像を撮影することができる。
【００１９】
（９）  前記ミラーを収容する鏡箱をさらに備え、
前記撮影レンズと前記ミラーとの間の空間と、前記ミラーと前記シャッターユニットとの間の空間とは、前記鏡箱内に設けられる上記（１）ないし（８）のいずれかに記載の電子カメラ。
【００２０】
これにより、積層厚さが大きい光学フィルタをより確実に電子カメラ内に収容することができる。
【００２１】
（１０）  前記撮影レンズと前記ミラーとの間の空間に配置される層と、前記ミラーと前記シャッターユニットとの間の空間に配置される層とは、それぞれ、枠体を介して前記鏡箱に固定される上記（９）に記載の電子カメラ。
これにより、電子カメラの清掃作業（メンテナンス）を容易に行うことができる。
【００２２】
（１１）  前記枠体と前記鏡箱との間に防塵部材が設けられる上記（１０）に記載の電子カメラ。
【００２３】
これにより、シャッターユニットおよび撮像ユニットにゴミが侵入するのを防止することができる。
【００２４】
（１２）  前記各層は、それぞれ、１つの光学特性を発揮する光学特性板で構成されている上記（１）ないし（１１）のいずれかに記載の電子カメラ。
これにより、各層の取り扱いをより容易に行うことができる。
【発明の効果】
【００２５】
本発明によれば、光学フィルタの複数の層（光学特性板）を、撮影レンズとミラーとの間の空間、ミラーとシャッターユニットとの間の空間、シャッターユニットと撮像ユニットとの間の空間のうち少なくとも２つの空間に分離して配置することにより、シャッターユニットと撮像ユニットとの間の空間にのみ光学フィルタを配置する場合と比較して、シャッターユニットと撮像ユニットとの間の空間に余裕をもたせることができるため、例えば、ＣＣＤカバーガラスなどを省略することなく、積層厚さが大きい光学フィルタを電子カメラ内に収容することができる。このようなことから、電子カメラの設計の自由度を確保しつつ、電子カメラを容易に製造でき、かつ電子カメラのコストの上昇を抑えることができる。
【発明を実施するための最良の形態】
【００２６】
以下、本発明の電子カメラを添付図面に示す好適実施形態に基づいて詳細に説明する。
図１は、本発明の電子カメラの第１実施形態を示す正面図、図２は、図１に示す電子カメラの内部構造を示す横断面図、図３は、光学ローパスフィルタの光学特性板およびその光学特性板が固定されるフレームを示す分解斜視図である。
【００２７】
これらの図に示す電子カメラ１は、カメラボディ２と、このカメラボディ２に対し着脱自在な撮影レンズ７とで構成されるレンズ交換式一眼レフ電子カメラである。カメラボディ２の正面には、撮影レンズ７を着脱自在に取り付けるためのマウント部３が設けられている。
【００２８】
カメラボディ２は、光軸Ａｘに沿って正面側（図２中左側）より順に配置されたマウント部３と、筐体状のミラーボックス（鏡箱）４と、シャッターユニット５と、ＣＣＤパッケージ（撮像ユニット）６とを備える。また、マウント部３には撮影レンズ７が取り付けられるため、撮影レンズ７も、ミラーボックス４ないしＣＣＤパッケージ６と同様に光軸Ａｘに沿って配置される。
【００２９】
ここで、マウント部３の撮影レンズ７取り付け面からＣＣＤパッケージ６におけるＣＣＤ結像面８までの距離（フランジバック）Ｌは、銀塩カメラにおける撮影レンズマウント面から撮影フィルム面までの距離と略同じである。また、シャッターユニット５およびＣＣＤパッケージ６は所定のクリアランスを保って配置される。
【００３０】
ミラーボックス４内部には、メインミラー（ミラー）９が設けられている。メインミラー９は、その上端部付近に設けられた回転軸１０を中心として回動可能に設置されており、図２に示す第１の位置と、ミラーボックス４の内壁上面１１に沿って光軸Ａｘに対して略平行となる第２の位置（図示せず）との間で回動する。メインミラー９は、モータドライバ（図示せず）を介して駆動されるミラーモータ（図示せず）の駆動力により動作する。
【００３１】
メインミラー９が第１の位置に配置されている場合、撮影レンズ７を透過してカメラボディ２内に入射した光束（被写体光）は、その大部分がメインミラー９において反射し、ミラーボックス４の内壁上面１１に配置された焦点板（図示せず）、さらにはペンタプリズム（図示せず）に入射する。そして、ペンタプリズムで反射された光束は、アイピースレンズ（図示せず）を通って射出する。これにより、使用者は、アイピースを介して撮影レンズ７による焦点板上の結像状態を観察することができる。
【００３２】
また、メインミラー９の一部は、ハーフミラーとなっており、撮影レンズ７からの光束の一部は、メインミラー９を透過し、メインミラー９の背面側に設けられたサブミラー１２により下方に反射されてＡＦセンサ（図示せず）に入射する。
【００３３】
ここで、メインミラー９において反射し、ミラーボックス４の内壁上面１１に配置された焦点板、さらにはペンタプリズムに入射する光束は、後述する第１の間隙空間に配置された光学特性板のみを通過した光束である。
【００３４】
メインミラー９が第２の位置に配置されている場合、メインミラー９は、撮影レンズ７からの光束の光路から退避した状態になっており、撮影レンズ７からの光束は、メインミラー９にて反射されることなくシャッターユニット５およびＣＣＤパッケージ６に入射し得る。すなわち、撮影レンズ７からの光束は、後述する複屈折板１６、位相板１７、複屈折板１８、赤外カットフィルタ１９を介してＣＣＤパッケージ６に入射し得る。
【００３５】
シャッターユニット５は、いわゆるフォーカルプレーンシャッタであり、ＣＣＤパッケージ６のＣＣＤ結像面８に対面するように設置されている。シャッターユニット５は、先幕および後幕を有し、露出時には、先幕と後幕との間に形成される任意の間隔を持つスリットを所定の速度でＣＣＤ結像面８の前を横切るように移動させることにより、撮影レンズ７からの光束をＣＣＤ結像面８に到達させる。このシャッターユニット５は、シャッタ駆動回路（図示せず）により駆動される。
【００３６】
ＣＣＤパッケージ６は、長方形の浅い凹部を有するケーシング１３と、ケーシング１３の凹部内に設置された平板状のＣＣＤ１４と、ケーシング１３の凹部の開口を覆うように設置されたＣＣＤカバーガラス１５とを有し、ＣＣＤ１４の図２中の左側面がＣＣＤ結像面８となっている。このＣＣＤパッケージ６は、そのＣＣＤ結像面８がマウント部３に装着された撮影レンズ７の光軸Ａｘに対し垂直になるように設置されている。そして、光軸Ａｘは、ＣＣＤパッケージ６の撮像領域（ＣＣＤ結像面８）の中心に合致する。
【００３７】
また、カメラボディ２は、光学特性が異なる少なくとも２つの（本実施形態では４つの）層で構成される光学ローパスフィルタを内部に備える。光学ローパスフィルタの各層は、それぞれ、１つの光学特性を発揮する光学特性板である複屈折板（複屈折層）１６、位相板（位相層）１７、複屈折板（複屈折層）１８および赤外カットフィルタ（赤外カット層）１９で構成されている。本実施形態では、光軸Ａｘに沿って正面側（図２中左側）から複屈折板１６、位相板１７、複屈折板１８、赤外カットフィルタ１９の順番で設置されている。
【００３８】
また、複屈折板１６は、撮影レンズ７とメインミラー９との間の空間（以下「第１の間隙空間」という）に配置され、位相板１７は、メインミラー９とシャッターユニット５との間の空間（以下「第２の間隙空間」という）に配置され、複屈折板１８と赤外カットフィルタ１９とは、シャッターユニット５とＣＣＤパッケージ６との間の空間（以下「第３の間隙空間」という）に配置される。すなわち、本実施形態では、第１の間隙空間〜第３の間隙空間にそれぞれ、光学特性板が配置される。
【００３９】
また、複屈折板１６、位相板１７、複屈折板１８の構成材料は、特に限定されないが、例えば、水晶等が挙げられる。
【００４０】
また、赤外カットフィルタ１９の構成材料は、特に限定されないが、例えば、赤外線を吸収するガラス（赤外吸収ガラス）等が挙げられる。
【００４１】
ところで、本実施形態では第１の間隙空間または第２の間隙空間に配置される光学特性板を後述のフレーム（枠体）を介してミラーボックス４に固定する。
【００４２】
具体的には、図３に示すように、例えば、金属製の平板をプレス成型によって額縁状に打ち抜いたフレーム２０であって、内周部の少なくとも一辺において一段奥まって配置される光学特性板支持部２１を有するフレーム２０に、光学ローパスフィルタの任意の光学特性板を光学特性板支持部２１に当接させて接着することにより、光学特性板をフレーム２０に固定する。さらに、第１の間隙空間に配置される光学特性板が固定されたフレーム２０をビス２１、２１によってミラーボックス４のフレーム座面２２ａ、２２ａに固定する（図２参照）。第２の間隙空間に配置される光学特性板が固定されたフレーム２０も同様に、ビス２１、２１によってミラーボックス４のフレーム座面２２ｂ、２２ｂに固定する。
【００４３】
ここで、各フレーム２０と各フレーム座面２２ａ、２２ｂとの間には、それぞれ、略四角形状の枠状の防塵シール部材（防塵部材）２３が配置される。該防塵シール部材２３はフレーム２０の開口部を囲むように配置されるため、シャッターユニット５およびＣＣＤパッケージ６へ向けてゴミが侵入するのを防止することができる。なお、防塵シール部材２３の構成材料は、特に限定されないが、例えば、ゴム系のパッキンやゴミを捕集するスポンジ材等が挙げられる。
【００４４】
光学ローパスフィルタの任意の光学特性板を、フレーム２０を介してビス２１によってミラーボックス４に固定することにより、当該光学特性板をミラーボックス４に対して脱着自在にすることができ、電子カメラ１のメンテナンス時において当該光学特性板を脱離させることによって、例えば、各光学特性板の表面やＣＣＤ結像面８に付着したゴミの除去などを容易に行うことができ、電子カメラ１のメンテナンスを容易に行うことができる。
【００４５】
ところで、通常、光学ローパスフィルタは複屈折板と位相板とが互いに接触（接合）されているが、複屈折板と位相板との接触によって新たな光学的機能を発揮することはなく、かつ光学的機能が減じることがないため、複屈折板と位相板を互いに接着しない場合であっても、複屈折板と位相板を互いに接着する場合と同様の機能を発揮する。したがって、複屈折板１６、位相板１７および複屈折板１８は、互いに協働して（一体的に）正方分離型の光学ローパスフィルタとして機能し、被写体光の空間周波数の中からＣＣＤ１４の画素間隔で決まる標本化空間周波数に近い空間周波数成分を低減させることにより、被写体の画像データに偽色（モアレ）が生じるのを防止する。また、赤外カットフィルタ１９は、撮影レンズ７からの被写体光の中から赤外波長成分を除去し、ＣＣＤパッケージ６が人間の目に見えない赤外光を受光してしまうのを防止する。
【００４６】
第１の間隙空間の光軸Ａｘに沿った方向の距離および第２の間隙空間の光軸Ａｘに沿った方向の距離は、一般的に第３の間隙空間の光軸Ａｘに沿った方向の距離より小さいが、一例として、分離幅が６μｍ〜８μｍ程度（例えば、７μｍ程度）の正方分離型の光学ローパスフィルタでは、水晶で構成される複屈折板の厚さは、１ｍｍ〜１．４ｍｍ程度（例えば、１．２ｍｍ程度）であり、同じく水晶で構成される位相板の厚さは０．３ｍｍ〜１．２ｍｍ程度（例えば、０．４ｍｍ程度）であり、赤外カットフィルタの厚さは０．３ｍｍ〜０．５ｍｍ程度である。したがって、複屈折板、位相板又は赤外カットフィルタは１枚または２枚であれば、第１の間隙空間や第２の間隙空間に配置可能であり、本実施形態では、上述したように、複屈折板１６が第１の間隙空間に配置され、位相板１７が第２の間隙空間に配置されるため、第３の間隙空間には複屈折板１８および赤外カットフィルタ１９を配置すればよく、これにより、第３の間隙空間を拡張することなく、カメラボディ２が、正方分離型の光学ローパスフィルタを収容することができる。
【００４７】
カメラボディ２において、光学ローパスフィルタの各光学特性板は、複屈折板１６、位相板１７、複屈折板１８および赤外カットフィルタ１９の順で配置されるが、各光学特性板の配置順はこれに限られず、位相板が２枚の複屈折板の間に挟まれていれば、どのような配置順であってもよく、例えば、赤外カットフィルタが最も正面側に配置されてもよいし、赤外カットフィルタが２枚の複屈折板の間に配置されてもよい。
【００４８】
以上説明したように、この電子カメラ１によれば、複屈折板１６が第１の間隙空間に配置され、位相板１７が第２の間隙空間に配置されるため、第３の間隙空間には複屈折板１８および赤外カットフィルタ１９のみが配置される。これにより、第３の間隙空間の大きさが限られていても、例えば、ＣＣＤカバーガラス１５などを省略することなく正方分離型の光学ローパスフィルタを電子カメラ１内に収容することができ、電子カメラ１の設計の自由度を確保しつつ、電子カメラ１を容易に製造でき、かつ電子カメラ１のコストの上昇を抑えることができる。
【００４９】
次に、本発明の電子カメラの第２実施形態について説明する。
図４は、第２実施形態の電子カメラの内部構造を示す横断面図である。
【００５０】
以下、第２実施形態の電子カメラ１について、前述した第１実施形態との相違点を中心に説明し、同様の事項については、その説明を省略する。
【００５１】
第２実施形態の電子カメラ１は、光学ローパスフィルタの各光学特性板の配置個所が異なっていること以外は、前述した第１実施形態と同様である。すなわち、本実施形態では、第３の間隙空間と、第１、第２の間隙空間のうちのいずれか一方の間隙空間とに、それぞれ、光学特性板が配置される。
【００５２】
図４に示すように、第２実施形態の電子カメラ１では、複屈折板１６が第２の間隙空間に配置され、位相板１７、複屈折板１８および赤外カットフィルタ１９が第３の間隙空間に配置される。また、複屈折板１６は第１の間隙空間に配置されてもよい。
【００５３】
第２実施形態の電子カメラ１によれば、前述した第１実施形態の電子カメラ１と同様の効果が得られる。そして、この電子カメラ１では、メンテナンスをさらに容易に行うことができる。
【００５４】
以上、本発明の電子カメラを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００５５】
また、上述した第１実施形態では、複屈折板１６、位相板１７及び複屈折板１８がそれぞれ第１の間隙空間、第２の間隙空間及び第３の間隙空間に配置され、第２実施形態では、複屈折板１６が第１または第２の間隙空間に配置され、位相板１７および複屈折板１８が第３の間隙空間に配置されたが、本発明における複屈折板１６、位相板１７及び複屈折板１８の配置個所の組合せはこれに限られず、例えば、配置個所の組合せが複屈折板１６／位相板１７／複屈折板１８＝第１の間隙空間／第１の間隙空間／第２の間隙空間、複屈折板１６／位相板１７／複屈折板１８＝第１の間隙空間／第１の間隙空間／第３の間隙空間、複屈折板１６／位相板１７／複屈折板１８＝第２の間隙空間／第２の間隙空間／第３の間隙空間、および複屈折板１６／位相板１７／複屈折板１８＝第１の間隙空間／第２の間隙空間／第２の間隙空間のいずれかであってもよい。すなわち、各光学特性板（各層）が、第１の間隙空間〜第３の間隙空間のうちの少なくとも２つの空間に分離して配置されていればよい。
【００５６】
各光学特性板が、第１の間隙空間および第２の間隙空間のいずれかに配置される場合では、光学ローパスフィルタを第３の間隙空間に配置する必要を無くすことができ、電子カメラ１の設計の自由度を確実に確保することができる。
【００５７】
また、上述した実施形態では、電子カメラ１に収容される光学ローパスフィルタは、正方分離型の光学ローパスフィルタであったが、電子カメラ１に収容される光学ローパスフィルタはこれに限られず、例えば、２枚の複屈折板および赤外カットフィルタで構成される平行四辺形型の光学ローパスフィルタや、１枚の複屈折板および赤外カットフィルタで構成される２点分離型の光学ローパスフィルタであってもよい。
【００５８】
ここで、光学ローパスフィルタの型（正方分離型、平行四辺形型、２点分離型）に限られず、赤外吸収ガラス以外を第１の間隙空間に配置するのが好ましい。
【００５９】
一例として、前記各実施形態の（正方分離型の）電子カメラ１の光学ローパスフィルタを構成する複屈折板１６、位相板１７および赤外カットフィルタ１９のうち、複屈折板１６および位相板１７を第１の間隙空間に配置するのが好ましい。第１の間隙空間に配置される光学特性板は、メインミラー９の前段（図２中左側）に位置している。そのため、第１の間隙空間には、使用者が撮影レンズ７による焦点板上の結像状態を観察するときに必要な、または使用者が撮影レンズ７による焦点板上の結像状態を観察するときに支障のない光学特性板を配置するのが好ましい。すなわち、第２の間隙空間および第３の間隙空間に配置される各光学特性板は、メインミラー９の後段（図２中右側）に位置している。そのため、第２の間隙空間および第３の間隙空間には、使用者が撮影レンズ７による焦点板上の結像状態を観察するときに、必要でない光学特性板を配置するのが好ましい。
【００６０】
また、前記各実施形態では、赤外線吸収部材として赤外カットフィルタを用いたが、これに限られず、例えば、赤外線吸収コート材等を用いてもよい。この場合、赤外線吸収コート材は、他の各光学特性板の表面または裏面のいずれかに設けられる。
【００６１】
また、前記各実施形態では、複屈折板１６、１８および位相板１７は、水晶で構成されているが、これに限られず、例えば、薄膜等で構成されていてもよい。
【図面の簡単な説明】
【００６２】
【図１】本発明の電子カメラの第１実施形態を示す正面図である。
【図２】図１に示す電子カメラの内部構造を示す横断面図である。
【図３】光学ローパスフィルタの光学特性板およびその光学特性板が固定されるフレームを示す分解斜視図である。
【図４】第２実施形態の電子カメラの内部構造を示す横断面図である。
【図５】従来の電子カメラにおける光学ローパスフィルタおよび撮像ユニットの位置関係を示す断面図である。
【符号の説明】
【００６３】
Ａｘ            光軸
１              電子カメラ
２              カメラボディ
３              マウント部
４              ミラーボックス
５              シャッターユニット
６              ＣＣＤパッケージ
７              撮影レンズ
８、５３        ＣＣＤ結像面
９              メインミラー
１０            回転軸
１１            内壁上面
１２            サブミラー
１３            ケーシング
１４            ＣＣＤ
１５、５１      ＣＣＤカバーガラス
１６、１８      複屈折板
１７            位相板
１９            赤外カットフィルタ
２０            フレーム
２１            ビス
２２ａ、２２ｂ  フレーム座面
２３            防塵シール部材
５０            撮像ユニット
５２            光学ローパスフィルタ
【図１】
2006140706.tif 000003
【図２】
2006140706.tif 000004
【図３】
2006140706.tif 000005
【図４】
2006140706.tif 000006
【図５】
2006140706.tif 000007